(57)【要約】【課題】筐体の半開状態を多段階に検出可能で、各半開状態に応じて機能や実行状態を切り替え可能な折り畳み型携帯端末を提供する。【解決手段】第１の筐体１１と第２の筐体１２とを閉じた状態、開いた状態及び途中まで開いた各状態のそれぞれには、各々異なる機能が割り当てられており、第１の筐体１１と第２の筐体１２とが、途中まで開いた状態にあるか、開いた状態にあるか、又は閉じた状態にあるかを検出するセンサ１７ａ〜１７ｃを備え、センサ１７ａ〜１７ｃの検出結果に応じて、第１の筐体１１と第２の筐体１２との開閉状態に対応する機能を起動する。【選択図】図２
2007243483.tif 000002
【特許請求の範囲】
【請求項１】
第１の筐体と第２の筐体とがヒンジを介して開閉自在に連結され、前記ヒンジは、前記第１の端末と前記第２の端末とを途中まで開いた状態では、これらを２以上の異なる状態で保持可能な携帯端末であって、
前記第１の筐体と前記第２の筐体とを閉じた状態、開いた状態及び途中まで開いた各状態のそれぞれには、各々異なる機能が割り当てられており、
前記第１の筐体と前記第２の筐体とが、途中まで開いた状態にあるか、開いた状態にあるか、又は閉じた状態にあるかを検出する開閉状態検出手段を備え、
前記開閉検出手段の検出結果に応じて、前記第１の筐体と前記第２の筐体との開閉状態に対応する機能を起動することを特徴とする折り畳み型携帯端末。
【請求項２】
任意の機能を実行中に前記開閉検出手段によって前記第１の筐体と前記第２の筐体との開閉状態の変化が検出された場合に、変化前の開閉状態に対応する機能の実行状態を記憶する実行状態記憶手段をさらに有することを特徴とする請求項１記載の折り畳み型携帯端末。
【請求項３】
任意の機能を実行中に前記開閉検出手段によって前記第１の筐体と前記第２の筐体との開閉状態の変化が検出された場合に、変化後の開閉状態に対応する機能の実行状態を前記実行状態記憶手段から読み出して前記変化後の開閉状態に対応する機能を実行することを特徴とする請求項２記載の折り畳み型携帯端末。
【請求項４】
移動体通信網を介して他の端末と通信する手段を有することを特徴とする請求項１から３のいずれか１項記載の折り畳み型携帯端末。
【請求項５】
前記第１の筐体と前記第２の筐体とを開いた状態に対応する機能は、他の端末との通信機能であり、前記途中まで開いた状態のいずれかに対応する機能がブラウザ機能であることを特徴とする請求項４記載の折り畳み型携帯端末。
【請求項６】
第１の筐体と第２の筐体とがヒンジを介して開閉自在に連結され、前記ヒンジは、前記第１の筐体と前記第２の筐体とを途中まで開いた状態では、これらを２以上の異なる状態で保持可能な折り畳み型携帯端末であって、
前記第１の筐体と前記第２の筐体とを閉じた状態、開いた状態及び途中まで開いた各状態のそれぞれには、任意の機能の各々異なる実行状態が割り当てられており、
前記第１の筐体と前記第２の筐体とが、途中まで開いた状態にあるか、開いた状態にあるか、又は閉じた状態にあるかを検出する開閉状態検出手段を備え、
前記開閉検出手段の検出結果に応じて、前記第１の筐体と前記第２の筐体との開閉状態に対応する実行状態で前記任意の機能を実行することを特徴とする折り畳み型携帯端末。
【請求項７】
前記任意の機能は通話機能であり、前記異なる実行状態は通話音量であることを特徴とする請求項６記載の折り畳み型携帯端末。
【発明の詳細な説明】
【技術分野】
【０００１】
本発明は、二つに分割された筐体がヒンジを介して連結された折り畳み型携帯端末に関し、特に、複数種の開状態を取りうる折り畳み型携帯端末に関する。
【背景技術】
【０００２】
従来の折り畳み型携帯端末の多くは、開状態と閉状態との二つの状態を取り得るように構成されている。携帯電話端末の場合は、主として、閉状態では待ち受け、開状態では通話やブラウザの操作などの処理が行われる。
【０００３】
開状態における機能の切り替えは、ユーザのマニュアル操作によって選択される。
【０００４】
なお、開状態と閉状態の他に半開状態を取りうる携帯電話端末もあるが、開状態と半開状態又へ移行、又は逆の移行した際に機能の切り替えはなされない。
【０００５】
このような問題を解決するための従来技術として特許文献１に開示される「携帯電話機」がある。
【特許文献１】特開２００３−２８３６２１号公報
【発明の開示】
【発明が解決しようとする課題】
【０００６】
しかし、特許文献１に開示される発明は、開状態、閉状態及び半開状態の三つの状態しか検出できない。すなわち、開状態と閉状態との中間の状態（半開状態）を多段階に検出することはできない。
このため、２段以上の半開状態を取りうるような構造としても、いずれの半開状態であるかに応じて機能などを切り替えることはできなかった。
【０００７】
本発明はかかる問題に鑑みてなされたものであり、筐体の半開状態を多段階に検出可能で、各半開状態に応じて機能や実行状態を切り替え可能な折り畳み型携帯端末を提供することを目的とする。
【課題を解決するための手段】
【０００８】
上記目的を達成するため、本発明は、第１の態様として、第１の筐体と第２の筐体とがヒンジを介して開閉自在に連結され、ヒンジは、第１の筐体と第２の筐体とを途中まで開いた状態では、これらを２以上の異なる状態で保持可能な携帯端末であって、第１の筐体と第２の筐体とを閉じた状態、開いた状態及び途中まで開いた各状態のそれぞれには、各々異なる機能が割り当てられており、第１の筐体と第２の筐体とが、途中まで開いた状態にあるか、開いた状態にあるか、又は閉じた状態にあるかを検出する開閉状態検出手段を備え、開閉検出手段の検出結果に応じて、第１の筐体と第２の筐体との開閉状態に対応する機能を起動することを特徴とする折り畳み型携帯端末を提供するものである。
【０００９】
上記本発明の第１の態様においては、任意の機能を実行中に開閉検出手段によって第１の筐体と第２の筐体との開閉状態の変化が検出された場合に、変化前の開閉状態に対応する機能の実行状態を記憶する実行状態記憶手段をさらに有することが好ましく、これに加えて、任意の機能を実行中に開閉検出手段によって第１の筐体と第２の筐体との開閉状態の変化が検出された場合に、変化後の開閉状態に対応する機能の実行状態を実行状態記憶手段から読み出して変化後の開閉状態に対応する機能を実行することがより好ましい。
【００１０】
本発明の第１の態様の上記のいずれの構成においても、移動体通信網を介して他の端末と通信する手段を有することが好ましく、これに加えて、第１の筐体と第２の筐体とを開いた状態に対応する機能は、他の端末との通信機能であり、途中まで開いた状態のいずれかに対応する機能がブラウザ機能であることがより好ましい。
【００１１】
また、上記目的を達成するため、本発明は、第２の態様として、第１の筐体と第２の筐体とがヒンジを介して開閉自在に連結され、ヒンジは、第１の筐体と第２の筐体とを途中まで開いた状態では、これらを２以上の異なる状態で保持可能な携帯端末であって、第１の筐体と第２の筐体とを閉じた状態、開いた状態及び途中まで開いた各状態のそれぞれには、任意の機能の各々異なる実行状態が割り当てられており、第１の筐体と第２の筐体とが、途中まで開いた状態にあるか、開いた状態にあるか、又は閉じた状態にあるかを検出する開閉状態検出手段を備え、開閉検出手段の検出結果に応じて、第１の筐体と第２の筐体との開閉状態に対応する実行状態で任意の機能を実行することを特徴とする折り畳み型携帯端末を提供するものである。
【００１２】
上記本発明の第２の態様においては、任意の機能は通話機能であり、異なる実行状態は通話音量であることが好ましい。
【発明の効果】
【００１３】
筐体の半開状態を多段階に検出可能で、各半開状態に応じて機能や実行状態を切り替え可能な折り畳み型携帯端末。
【発明を実施するための最良の形態】
【００１４】
〔第１の実施形態〕
本発明を好適に実施した第１の実施形態について説明する。
図１に、本実施形態にかかる携帯電話端末の構成を示す。
携帯電話端末１０は、表示部を備えた第１の筐体１１と操作部を備えた第２の筐体１２とが開閉ヒンジを備えた接続部１３を介して連結された構成である。
図１において（ａ）は第１の筐体１１と第２の筐体１２とを閉じた状態（閉状態）であり、（ｂ）、（ｃ）は、それぞれ第１の半開状態及び第２の半開状態を表している。そして（ｄ）は、第１の筐体１１と第２の筐体１２とを完全に開いた状態（開状態）を表している。
なお、これらの二つの半開状態は、公知の開閉ヒンジを用いて実現可能であるため、ヒンジの機構に関する詳細な説明は割愛する。
【００１５】
図２に、開閉検出部の構成を示す。開閉検出部は、携帯電話端末１０が閉状態、第１の半開状態、第２の開状態及び開状態のいずれの状態にあるかを検出する。図２（ａ）は開状態を示し、図２（ｂ）は第２の半開状態を示している。
【００１６】
第１の筐体１１は、接続部１３の一部を構成する第１の筐体側回転部材１４と一体に形成されている。また、第２の筐体１２は、接続部１３の一部を構成する第２の筐体側回転部材１５と一体に形成されている。図示するように、第１の筐体側回転部材１４と第２の筐体側回転部材１５とは嵌合して回転するようになっている。
【００１７】
第１の筐体側回転部材１４の表面にはセンサ１６が、第２の筐体側回転部材１５の表面にはセンサ１７ａ、１７ｂ、１７ｃがそれぞれ設置されている。センサ１７ａは、第１の筐体１１と第２の筐体１２とが第１の半開状態にある場合に最も近接するように配置されている。また、センサ１７ｂは、第１の筐体１１と第２の筐体１２とが第２の半開状態にある場合に最も近接するように配置されている。また、センサ１７ｃは、第１の筐体１１と第２の筐体１２とが開状態にある場合に最も近接するように配置されている。センサ１７ａ、１７ｂ、１７ｃはホール素子を適用可能であり、センサ１６と最も近接した状態となったときに、センサ１７ａ、１７ｂ、１７ｃから開閉位置検出信号が不図示の制御部へ出力される。また、第１の筐体１１と第２の筐体１２とが閉状態にある場合には、センサ１７ａ、１７ｂ及び１７ｃのいずれもセンサ１６と対向しないため、不図示の制御部へは開閉位置検出信号が出力されない。これにより、第１の筐体１１と第２の筐体１２とが閉状態にあることが検出される。
【００１８】
なお、接続部１３にはヒンジ部材が内蔵されており、好ましくは第１の開状態及び第２の開状態でそれぞれ係止されるとよい。
【００１９】
図３に、携帯電話端末１０の機能構成を示す。
携帯電話端末１０は、ネットワーク（インターネットなど）に接続可能な端末であり、後述する各部を制御する制御部１０１、ネットワークに接続するための通信部１０２、各種プログラムやユーザデータ（電話帳データなど）を記憶するための記憶部１０３、情報を表示するための表示部１０４、ユーザからの操作を受け付けるための操作部１０５、開閉状態を検出するための開閉検出部１０６を有する。上記のセンサ１６、１７ａ、１７ｂ及び１７ｃは、開閉検出部１０６として機能する。
【００２０】
図４及び図５に、携帯電話端末１０の動作の流れを示す。
なお、動作の開始に先立って、記憶部１０３には第１の半開状態で実行するプログラムと第２の半開状態で動作するプログラムと開状態で実行するプログラムとが登録されている。例えば、開状態の時に所定のキー操作を行うと制御部１０１がプログラム選択画面を表示部１０４に表示され、ここで選択されたプログラムが、第１の筐体１１と第２の筐体１２とが開状態となったときに制御部１０１によって実行される。
なお、第１の半開状態や第２の半開状態において制御部１０１が実行するプログラムも同様にして選択される。
【００２１】
ここでは、第１の半開状態用としてインターネットのサイトを表示するためのブラウザ機能、第２の半開状態用としてテレビ放送受信機能、開状態用として他の携帯電話端末と通話を行うための通話機能を登録したものとする。
【００２２】
最初に携帯電話端末１０が開状態又は半開状態であるか否かを開閉検出部１０６によって検出する（ステップＳ１０１）。携帯電話端末１０が閉状態であれば（ステップＳ１０１／Ｙｅｓ）、制御部１０１は処理を終了し、待ち受け状態となる。携帯電話端末１０が開状態又は半開状態であれば（ステップＳ１０１／Ｎｏ）、制御部１０１は携帯電話端末１０が第１の半開状態にあるか否かを判断する（ステップＳ１０２）。携帯電話端末１０が第１の半開状態にある場合（ステップＳ１０２／Ｙｅｓ）、制御部１０１は記憶部１０３に記憶されているブラウザプログラムを実行し、ブラウザ機能を起動させる（ステップＳ１０３）。この状態では、ユーザは操作部１０５を操作することによってインターネット上のサイトを閲覧可能である。
【００２３】
ブラウザ機能が起動されている状態では、制御部１０１は携帯電話端末１０の開閉状態の変化を監視する（ステップＳ１０４）。開閉状態の変化があった場合（ステップＳ１０４／Ｙｅｓ）、制御部１０１は第２の半開状態に変化したかを判断する（ステップＳ１０５）。携帯電話端末１０が第２の半開状態に変化した場合（ステップＳ１０５／Ｙｅｓ）、制御部１０１はブラウザの実行状態を記憶部１０３に保存させる（ステップＳ１０６）。その後、制御部１０１はテレビ放送受信プログラムを実行する（ステップＳ１１０）。
携帯電話端末１０が第２の半開状態に変化したのでなければ（ステップＳ１０５／Ｎｏ）、制御部１０１は、携帯電話端末１０が開状態に変化したか否かを判断する（ステップＳ１０７）。携帯電話端末１０が開状態に変化した場合（ステップＳ１０７／Ｙｅｓ）、制御部１０１は、ブラウザの実行状態を記憶部１０３に保存させる（ステップＳ１０８）。その後、制御部１０１は通話プログラムを実行して通話プログラムを起動する（ステップＳ１１６）。なお、携帯電話端末１０が閉状態に変化した場合には（ステップＳ１０７／Ｎｏ）、ブラウザ機能、テレビ放送受信機能及び通話機能を終了し、携帯電話端末１０は待ち受け状態に移行する。
【００２４】
一方、携帯電話端末１０が第１の半開状態ではなかった場合（ステップＳ１０２／Ｎｏ）、制御部１０１は携帯電話端末１０が第２の半開状態にあるか否かを判断する（ステップＳ１０９）。携帯電話端末１０が第２の半開状態にある場合（ステップＳ１０９／Ｙｅｓ）、制御部１０１は、記憶部１０３に記憶されているテレビ放送受信プログラムを実行する（ステップＳ１１０）。
テレビ放送受信機能が起動されている状態では、制御部１０１は携帯電話端末１０の開閉状態の変化を監視する（ステップＳ１１１）。開閉状態の変化があった場合（ステップＳ１１１／Ｙｅｓ）、制御部１０１は第１の半開状態に変化したかを判断する（ステップＳ１１２）。携帯電話端末１０が第１の半開状態に変化した場合（ステップＳ１１２／Ｙｅｓ）、制御部１０１はテレビ放送受信プログラムの実行状態を記憶部１０３に保存するとともに、ブラウザの実行状態を記憶部１０３から読み出す（ステップＳ１１３）。その後、制御部１０１はブラウザプログラムを実行する（ステップＳ１０３）。
携帯電話端末１０が第１の半開状態に変化したのでなければ（ステップＳ１１２／Ｎｏ）、制御部１０１は、携帯電話端末１０が開状態に変化したか否かを判断する（ステップＳ１１４）。携帯電話端末１０が開状態に変化した場合（ステップＳ１１４／Ｙｅｓ）、制御部１０１は、テレビ放送受信プログラムの実行状態を記憶部１０３に保存させる（ステップＳ１１５）。その後、制御部１０１は通話プログラムを実行して通話プログラムを起動する（ステップＳ１１６）。なお、携帯電話端末１０が閉状態に変化した場合には（ステップＳ１１４／Ｎｏ）、ブラウザ機能、テレビ放送受信機能及び通話機能を終了し、携帯電話端末１０は待ち受け状態に移行する。
【００２５】
制御部１０１が、通話プログラムを実行すると通話機能が起動され、他の携帯電話端末との通話が可能となる。
【００２６】
通話機能が起動されている状態では、制御部１０１は携帯電話端末１０の開閉状態の変化を監視する（ステップＳ１１７）。開閉状態の変化があった場合（ステップＳ１１７／Ｙｅｓ）、制御部１０１は第１の半開状態に変化したかを判断する（ステップＳ１１８）。携帯電話端末１０が第１の半開状態に変化した場合（ステップＳ１１８／Ｙｅｓ）、制御部１０１はブラウザの実行状態を記憶部１０３から読み出す（ステップＳ１１９）。その後、制御部１０１はブラウザプログラムを実行してブラウザ機能を起動する（ステップＳ１０３）。なお、実行状態が記憶部１０３に記憶されていなければブラウザプログラムを初期状態で実行してブラウザ機能を起動する。
携帯電話端末１０が第１の開状態に変化したので無ければ（ステップＳ１１８／Ｎｏ）、制御部１０１は携帯電話端末１０が第２の半開状態に変化したかを判断する（ステップＳ１２０）。携帯電話端末１０が第２の半開状態に変化した場合には（ステップＳ１２０／Ｙｅｓ）、制御部１０１はテレビ放送受信プログラムの実行状態を記憶部１０３から読み出す（ステップＳ１２１）。その後、制御部１０１はテレビ放送受信プログラムを実行してテレビ放送受信機能を起動する（ステップＳ１１０）。なお、実行状態が記憶部１０３に記憶されていなければテレビ放送受信プログラムを初期状態で実行してテレビ放送受信機能を起動する。
携帯電話端末１０が閉状態に変化したならば（ステップＳ１２０／Ｎｏ）、制御部１０１は、ブラウザ機能、テレビ放送受信機能及び通話機能を終了し、携帯電話端末１０は待ち受け状態に移行する。
【００２７】
上記の処理により、携帯電話端末１０は、ユーザがブラウザ機能を使用したい場合には第１の半開状態まで端末を開くとブラウザ機能が実行される。ブラウザ機能を実行中に着信があった場合は、開状態とすることで通話状態に移行し、着信に応答できる。通話機能を終了される時は、第１の半開状態に戻すことで、元のブラウザの状態に復帰する。テレビ放送受信機能との切替に関しても同様である。
【００２８】
このように本実施形態にかかる携帯電話端末１０は、ユーザが途中まで使用していた機能の状態を中断することなく、また、短時間の中断で容易に携帯電話端末の機能を切り替えて呼び出すことができる。
機能の切り替えには、操作部１０５を用いた操作が不要であるため、ユーザの操作性にも優れる。
【００２９】
〔第２の実施形態〕
本発明を好適に実施した第２の実施形態について説明する。
本実施形態にかかる携帯電話端末１０の構成は、上記第１の実施形態と同様である。ただし、第１の開状態と第２の開状態とには異なる受話音量が割り当てられる点で第１の実施形態と相違する。
すなわち、第１の開状態及び第２の開状態の両方に通話機能が割り当てられるが、どちらの開状態であるかによって受話音量が切り替わる。
【００３０】
切り替え動作の流れは第１の実施形態と同様であるため、説明は割愛する。
【００３１】
本実施形態にかかる携帯電話端末によれば、通話中に会話を中断することなく受話音量を切り替えることが可能となる。この際、音量切り替え用のボタンを手探りで探す必要もないため操作性にも優れる。
【００３２】
なお、上記各実施形態は本発明の好適な実施の一例であり、本発明はこれに限定されることはない。
上記各実施形態では通信機能を備えた携帯電話端末を例としたが、本発明は通信機能を備えていない携帯端末にも適用可能であることは言うまでもない。
このように、本発明は様々な変形が可能である。
【図面の簡単な説明】
【００３３】
【図１】本発明を好適に実施した第１の実施形態にかかる携帯電話端末の構成を示す図である。
【図２】第１の実施形態にかかる携帯電話端末の開閉検出部の構成を示す図である。
【図３】第１の実施形態にかかる携帯電話端末の機能構成を示す図である。
【図４】第１の実施形態にかかる携帯電話端末の動作の流れを示すフローチャートである。
【図５】第１の実施形態にかかる携帯電話端末の動作の流れを示すフローチャートである。
【符号の説明】
【００３４】
１０    携帯電話端末
１１    第１の筐体
１２    第２の筐体
１３    接続部
１６、１７ａ、１７ｂ、１７ｃ    センサ
１０１    制御部
１０２    通信部
１０３    記憶部
１０４    表示部
１０５    操作部
１０６    開閉検出部
【図１】
2007243483.tif 000003
【図２】
2007243483.tif 000004
【図３】
2007243483.tif 000005
【図４】
2007243483.tif 000006
【図５】
2007243483.tif 000007